(57)【要約】  【課題】光情報記録媒体、またはそれを収容するカートリッジの正規性を確認することができるカートリッジおよびチェンジャーを提供する。  【解決手段】固有情報が記録された複数の光情報記録媒体と、複数の光情報記録媒体を収容する収容体と、複数の光情報記録媒体の固有情報を記憶し、該固有情報を非接触でチェンジャーに供給する、収容体に設けられた識別装置とを備える。【選択図】図５
2014102863.tif 000002
【特許請求の範囲】
【請求項１】
固有情報が記録された複数の光情報記録媒体と、
上記複数の光情報記録媒体を収容する収容体と、
上記複数の光情報記録媒体の固有情報を記憶し、該固有情報を非接触でチェンジャーに供給する、上記収容体に設けられた識別装置と
を備えるカートリッジ。
【請求項２】
上記固有情報は、媒体毎のユニーク番号を含んでいる
請求項１に記載のカートリッジ。
【請求項３】
上記識別装置は、上記複数の光情報記録媒体に共通する共通情報をさらに記憶している
請求項１に記載のカートリッジ。
【請求項４】
上記識別装置は、識別装置の固有情報をさらに記憶している
請求項１に記載のカートリッジ。
【請求項５】
上記識別装置に記憶された固有情報は、上記識別装置の固有情報を用いて生成される第１の鍵情報によりロックされている
請求項１に記載のカートリッジ。
【請求項６】
上記第１の鍵情報は、上記識別装置の固有情報と、上記チェンジャーに付与された第２の鍵情報とにより生成される
請求項５に記載のカートリッジ。
【請求項７】
上記識別装置は、識別装置の認証情報をさらに記憶している
請求項１に記載のカートリッジ。
【請求項８】
上記認証情報は、上記複数の光情報記録媒体の固有情報を用いて生成された情報である
請求項７に記載のカートリッジ。
【請求項９】
上記認証情報は、上記複数の光情報記録媒体の固有情報と、上記チェンジャーに付与された第３の鍵情報とにより生成される
請求項８に記載のカートリッジ。
【請求項１０】
上記収容体は、第１のシェルと第２のシェルとを備え、
上記第１のシェルおよび上記第２のシェルのうちの一方に上記複数の光情報記録媒体が収容され、他方に上記識別装置が設けられている
請求項１に記載のカートリッジ。
【請求項１１】
固有情報が記録された複数の光情報記録媒体と、上記複数の光情報記録媒体を収容する収容体と、上記複数の光情報記録媒体の固有情報を記憶し、該固有情報を非接触でチェンジャーに供給する、上記収容体に設けられた識別装置とを備えるカートリッジを収容するカートリッジ収容部と、
上記光情報記録媒体の記録または再生を行う光学部と、
上記カートリッジの識別装置の情報を非接触で読み取る読み取り部と、
上記光情報記録媒体から読み出された固有情報と、上記識別装置から読み出された固有情報とを照合する制御部と
を備えるチェンジャー。
【請求項１２】
上記光学部は、上記照合により正当と判別された光情報記録媒体に対するデータの記録または再生を行い、該光情報記録媒体の記録または再生が完了した後に、該光情報記録媒体とは別の光情報記録媒体の固有情報の照合を行う
請求項１１に記載のチェンジャー。
【請求項１３】
上記識別装置に記憶される固有情報は、第１の鍵情報によりロックされており、
上記制御部は、上記識別装置の固有情報を用いて上記第１の鍵情報を生成し、該第１の鍵情報を用いて上記識別装置に記憶される固有情報のロックを解除する
請求項１１に記載のチェンジャー。
【請求項１４】
上記第１の鍵情報は、上記識別装置の固有情報と、上記チェンジャーに付与された第２の鍵情報とにより生成される
請求項１３に記載のチェンジャー。
【請求項１５】
上記識別装置は、認証情報をさらに記憶し、
上記制御部は、上記識別装置から読み出された複数の光情報記録媒体の固有情報を用いて認証情報を生成し、生成した該認証情報と、上記識別装置から読み出された認証情報とを照合する
請求項１３に記載のチェンジャー。
【請求項１６】
上記複数の光情報記録媒体には、全ての媒体に共通する共通情報がさらに記憶され、
上記識別装置は、上記複数の光情報記録媒体に共通する共通情報をさらに記憶し、
上記制御部は、
上記光情報記録媒体から読み出された共通情報と、上記識別装置から読み出された共通情報とを照合する
請求項１３に記載のチェンジャー。
【発明の詳細な説明】
【技術分野】
【０００１】
本開示は、ディスクカートリッジおよびチェンジャーに関する。詳しくは、複数の光情報記録媒体が収容されるディスクカートリッジおよびチェンジャーに関する。
【背景技術】
【０００２】
コンピュータに保存されている映像等の情報の損失に備え、情報を保護するためのバックアップが行われる。バックアップの媒体としては磁気テープが広く用いられている。バックアップ対象のサーバに、例えばＬＴＯ（Linear Tape-Open）の第５世代規格ＬＴＯ−５の磁気テープドライブが接続され、バックアップ対象の情報が磁気テープに保存される。
【０００３】
バックアップ対象は、重要な情報である場合が多く、且つ長期間保存される必要がある場合が多い。したがって、バックアップに用いられる磁気テープに例示される媒体には正規性および耐久性が求められる。さらに、バックアップされる情報には、機密性、完全性および可用性が維持される必要がある。そして、バックアップに用いられる媒体に対しては、特に完全性、すなわち情報が破壊、改ざん、または消去されていない状態が確保されることが求められる。
【０００４】
特許文献１（特許第４０４２９６１号公報）には、記録されたデータの真正性を簡便に証明することができる記録媒体カートリッジおよびその記録再生装置が開示されている。特許文献１では、磁気テープカートリッジのカートリッジメモリには、磁気テープに記録されたデータのＣＲＣ（Cyclic Redundancy Check）コードが書き換え不能な状態で記録されている。そして、記録再生装置は、その再生時に磁気テープからのＣＲＣコードとカートリッジメモリからのＣＲＣコードを比較し、その比較結果に基づいてデータの真正性を証明している。
【先行技術文献】
【特許文献】
【０００５】
【特許文献１】特許第４０４２９６１号公報
【発明の概要】
【発明が解決しようとする課題】
【０００６】
特許文献１では、バックアップの媒体として磁気テープが用いられている。磁気テープは、情報を先頭から順番に読み込み、あるいは書き込みを行うシーケンシャルアクセスであるため、必要な部分のみを読み込むような場合には時間がかかってしまうという特徴を有する。さらに、磁気テープは、テープとヘッドとが接触して読み書きが行われる方式であるため、情報の記録再生時、および記録再生装置に対するテープの着脱時にテープが損傷する可能性がある。そして、磁気テープは、情報の記録再生、および記録再生装置に対する着脱の回数が増えるほどその寿命が短くなる。
【０００７】
一方で、光情報記録媒体は大容量化が進んでいる。そして、その大容量の光情報記録媒体がさらに複数枚収容されるディスクカートリッジが知られている。ディスクカートリッジは、磁気テープの代替の媒体となり得る。ディスクカートリッジに用いられる光情報記録媒体は、ランダムアクセスが可能である。さらに、光情報記録媒体は、媒体とヘッドとが接触せずに読み書きが行われる方式であるため媒体の損傷の可能性が低減されている。
このため、ディスクカートリッジは、上述した磁気テープの問題点を解決することができる。さらに、光情報記録媒体は、重複する情報の読み込み、あるいは書き込みの省略による情報量および時間の削減といった効果も期待できる。
【０００８】
しかしながら、光情報記録媒体を収容するディスクカートリッジは、本来、簡単には分解できない構造になっているものの、分解すること自体は不可能なことではない。そして、分解された筐体や光情報記録媒体の組み合わせが製造時とは異なった状態になってしまうと不正なディスクとなる場合がある。
【０００９】
したがって、本開示の目的は、光情報記録媒体、またはそれを収容するカートリッジの正規性を確認することができるカートリッジおよびチェンジャーを提供することにある。
【課題を解決するための手段】
【００１０】
上述の課題を解決するために、本開示は、固有情報が記録された複数の光情報記録媒体と、
複数の光情報記録媒体を収容する収容体と、
複数の光情報記録媒体の固有情報を記憶し、該固有情報を非接触でチェンジャーに供給する、収容体に設けられた識別装置と
を備えるカートリッジである。
【００１１】
本開示は、固有情報が記録された複数の光情報記録媒体と、複数の光情報記録媒体を収容する収容体と、複数の光情報記録媒体の固有情報を記憶し、該固有情報を非接触でチェンジャーに供給する、収容体に設けられた識別装置とを備えるカートリッジを収容するカートリッジ収容部と、
光情報記録媒体の記録または再生を行う光学部と、
カートリッジの識別装置の情報を非接触で読み取る読み取り部と、
光情報記録媒体から読み出された固有情報と、識別装置から読み出された固有情報とを照合する制御部と
を備えるチェンジャーである。
【発明の効果】
【００１２】
本開示によれば、光情報記録媒体と、識別装置との固有情報を比較することで、両者の組み合わせの正当性を確認することができる。したがって、ユーザによる光情報記録媒体の差し替え（または収容体の交換）を検出することができる。したがって、本開示では、光情報記録媒体、およびその光情報記録媒体が複数収容されるカートリッジの正規性を確認することができるカートリッジおよびチェンジャーを提供することができる。
【図面の簡単な説明】
【００１３】
【図１】本開示の一実施の形態に係るディスクカートリッジの一例を示す斜視図である。
【図２】本開示の一実施の形態に係るディスクカートリッジの分離した状態の一例を示す斜視図である。
【図３】本開示の一実施の形態に係るディスクカートリッジの分離した状態の一例を別の方向からの視点で示す斜視図である。
【図４】本開示の一実施の形態に係るディスクカートリッジおよび記録再生装置の一例を示す斜視図である。
【図５】本開示の一実施の形態に係る記録再生装置の内部構成の一例を示すブロック図である。
【図６】本開示の一実施の形態に係るディスクカートリッジのＲＦＩＤロックおよびロック解除番号の生成方法の一例を示す略線図である。
【図７】本開示の一実施の形態に係るディスクカートリッジの認証コードの生成方法の一例を示す略線図である。
【図８】本開示の一実施の形態に係る記録再生装置の記録再生部の構成の一例を示すブロック図である。
【図９】本開示の一実施の形態に係るディスクカートリッジに取り付けられる識別装置の構成の一例を示す略線図である。
【図１０】本開示の一実施の形態に係る識別装置の回路の一構成例を示すブロック図である。
【図１１】本開示の一実施の形態に係るディスクカートリッジの識別装置に対する識別情報の記憶方法の一例を示すフローチャートである。
【図１２】本開示の一実施の形態に係る記録再生装置の動作の一例を示すフローチャートである。
【図１３】本開示の一実施の形態に係る記録再生装置が取り付けられる外部コンピュータの構成の一例を示すブロック図である。
【発明を実施するための形態】
【００１４】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序に沿ってなされる。
＜本開示の一実施の形態＞
［１．ディスクカートリッジの構成］
［２．記録再生装置の構成］
［３．記録再生装置の内部構成］
［４．記録再生部の構成］
［５．識別装置の構成］
「６．識別情報の記憶方法」
「７．記録再生装置の動作方法」
［８．記録再生装置が取り付けられる外部コンピュータの構成］
＜変形例＞
【００１５】
＜本開示の一実施の形態＞
［１．ディスクカートリッジの構成］
まず、本開示の一実施の形態に係るディスクカートリッジの構成について説明する。図１は、カートリッジの一例としてのディスクカートリッジ１を示す。さらに、図２および図３は、ディスクカートリッジ１の分離した状態の一例を示す。なお、以下の説明にあっては、ディスクカートリッジ１をチェンジャーとしての記録再生装置のカートリッジ挿脱口から挿入する方向を前方と便宜上定義して前後上下左右の方向を示すものとする。
【００１６】
ディスクカートリッジ１は、収容体としてのケース体２の内部に所要の各部が配置されて成り、ケース体２は、第１のシェル３と、第２のシェル４とを有している。ケース体２の内部には、例えばディスク状の光情報記録媒体１００、１００、・・・が上下方向に等間隔で収容可能とされている。光情報記録媒体１００には、例えばＢＤ（Blu-ray Disc）が用いられても良く、ＤＶＤ（Digital Versatile Disc）が用いられても良い。光情報記録媒体１００には、ディスク以外の形態の媒体が用いられても良い。
【００１７】
第１のシェル３の例えば上シェルと、第２のシェル４の例えば下シェルとは、例えば上下方向において結合、または分離可能とされている（図２および図３参照）。なお、第１のシェル３と、第２のシェル４とが別の方向例えば横方向に結合、または分離する形態であっても良い。
【００１８】
第１のシェル３は、樹脂材料によって形成され、ベース体５と、ベース体５の後端部に取り付けられた補助ベース６とが上下方向において結合されて成る（図２および図３参照）。
【００１９】
ベース体５は、図２に示すように、上下方向を向くベース面部７と、ベース面部７の左右両端部からそれぞれ下方へ突出されたサイド面部８、８と、ベース面部７の後端部から下方へ突出されたリア面部９とを有している。
【００２０】
ベース面部７の中央部には下方へ突出された丸軸状のセンターピン１０が設けられている（図３参照）。
【００２１】
ベース面部７の前端寄りの位置には下方へ突出された図示せぬ支持軸が左右に離隔して設けられている。ベース面部７の下面における図示せぬ支持軸の近傍の位置には、それぞれ図示せぬバネ掛け突部が設けられている。
【００２２】
第１のシェル３の図示せぬ支持軸には、それぞれロックレバー１３、１３が図示せぬ支持軸の各中心軸を中心として回動自在に支持される。ロックレバー１３は、図示せぬ支持軸が挿入されて支持される円筒状の被支持部１４と、被支持部１４の略上半部から略前方へ突出され、さらに側方へ突出された図示せぬロック部と、被支持部１４の略下半部から斜め前方へ突出された図示せぬロック解除部とを有している。ロックレバー１３、１３は図示せぬ付勢バネによって図示せぬロック部がそれぞれサイド面部８、８に近付く方向へ付勢される。
【００２３】
第１のシェル３の左右両側面部における後端寄りの位置には、それぞれスライダー支持部３ａ、３ａが形成されている。
【００２４】
第１のシェル３のスライダー支持部３ａ、３ａにはそれぞれロックスライダー１８、１８が前後方向へスライド自在に支持される。ロックスライダー１８は前後に延びる被支持部１９と被支持部１９の前端部を除く部分から内方へ突出されたロック部２０とロック部２０の後面から後方へ突出された図示せぬバネ支持軸部とから成る。ロックスライダー１８、１８は被支持部１９、１９がそれぞれ第１のシェル３のスライダー支持部３ａ、３ａにスライド自在に支持され、図示せぬバネ支持軸部にそれぞれ図示せぬコイルバネが支持される。図示せぬコイルバネは両端がそれぞれロック部２０の後面とスライダー支持部３ａを形成する後面とに接する。したがって、ロックスライダー１８は図示せぬコイルバネによって前方へ付勢される。
【００２５】
第１のシェル３の前端部には開閉パネル２３が取り付けられている。開閉パネル２３は、図２に示すように、前後方向を向く横長の矩形の板状に形成されたパネル部２４とパネル部２４の後面における下端部から後方へ突出された被取付突部２５、２５とを有している。
【００２６】
パネル部２４には左右に離隔して挿入孔２４ａ、２４ａが形成されている（図３参照）。パネル部２４の左右両端部にはそれぞれ外方に開口された挿入用切欠２４ｂ、２４ｂが形成されている。被取付突部２５、２５は左右に離隔して設けられている。
【００２７】
開閉パネル２３は、被取付突部２５、２５の先端部がそれぞれベース面部７に設けられた図示せぬ支持軸の下面にネジ止めされて第１のシェル３に取り付けられる。開閉パネル２３が第１のシェル３に取り付けられた状態においては、被取付突部２５、２５がそれぞれ図示せぬ支持軸の下方においてネジ止めされており、図示せぬ支持軸に支持されたロックレバー１３、１３および図示せぬ付勢バネの図示せぬ支持軸からの脱落が防止される。
【００２８】
開閉パネル２３が第１のシェル３に取り付けられた状態において、挿入孔２４ａ、２４ａの真後ろにそれぞれロックレバー１３、１３の図示せぬロック解除部が位置される。
【００２９】
第２のシェル４は樹脂材料によって形成され、上下方向を向く基面部２６と基面部２６の左右両端部からそれぞれ上方へ突出された側面部２７、２７が一体に形成されて成る（図２参照）。
【００３０】
側面部２７は外側壁部２８と外側壁部２８の内側に位置する内側壁部２９とによって構成される。外側壁部２８は高さが内側壁部２９の高さの略半分にされ、上面が内側壁部２９の上面より低くされている。
【００３１】
内側壁部２９の前端部には前方に開口され左右に貫通された第１のロック用凹部２９ａが形成されている。内側壁部２９の後端寄りの位置には後方および外方に開口された第２のロック用凹部２９ｂが形成されている。
【００３２】
内側壁部２９の内面には保持溝２９ｃ、２９ｃ、・・・が形成され、保持溝２９ｃ、２９ｃ、・・・は上下方向において等間隔に離隔して位置されている。
【００３３】
一方の内側壁部２９には図示せぬバネ取付凹部が形成されている。図示せぬバネ取付凹部は上方および内方に開口されている。
【００３４】
図示せぬバネ取付凹部には押さえバネ３０が挿入されて取り付けられている（図２参照）。押さえバネ３０は、縦長の板状の被取付部と、被取付部の後縁から突出されたバネ部とが金属材料によって一体に形成されて成る。バネ部は、保持溝２９ｃ、２９ｃ、・・・の上下の間隔と同じ間隔で上下方向において等間隔に離隔して設けられ、保持溝２９ｃ、２９ｃ、・・・と同数が設けられている。
【００３５】
押さえバネ３０は図示せぬバネ取付凹部に挿入されバネ部の先端部が内側壁部２９の内側に突出される。
【００３６】
第２のシェル４の側面部２７、２７間の後端寄りの位置にはブリッジ部材３１が取り付けられる（図２参照）。ブリッジ部材３１は板状の金属材料が所定の形状に折り曲げられて形成されている。ブリッジ部材３１が側面部２７、２７間に取り付けられることにより、第２のシェル４の全体としての強度を確保することができる。
【００３７】
ディスクカートリッジ１には、ケース体２の例えば後面に、識別情報を有する識別装置として、例えばＲＦＩＤタグ３２が貼付されている。ＲＦＩＤタグ３２は、ＲＦＩＤタグ３２の識別情報を読み取る装置からの読み取りが可能であればディスクカートリッジ１の何れの場所に取り付けられても良い。ＲＦＩＤタグ３２は、情報を電子的に記憶することができる。ここでは図示せぬ集積回路（ＩＣ：Integrated Circuit）と、この集積回路と接続され、電磁波を送受信可能なここでは図示せぬコイル状アンテナとを有している。ＲＦＩＤタグ３２には、所定の情報、例えばディスクカートリッジ１や光情報記録媒体１００、１００、・・・に関する情報が入力されている。ＲＦＩＤタグ３２の詳細については後述する。
【００３８】
以上のように構成されたディスクカートリッジ１において、光情報記録媒体１００、１００、・・・がケース体２の内部に保持される（図１および図２参照）。光情報記録媒体１００は、第１のシェル３と、第２のシェル４とが分離された状態において、外周部が、第２のシェル４の側面部２７、２７に形成された保持溝２９ｃ、２９ｃに前方から挿入されてケース体２の内部に保持される。したがって、第２のシェル４の前端に位置する開口は光情報記録媒体１００、１００、・・・の第２のシェル４に対する挿入および取り出しが行われるディスク挿脱口４ａとして形成される。
【００３９】
第１のシェル３と、第２のシェル４とが結合され、第１のシェル３に開閉パネル２３が取り付けられてケース体２が構成された状態においては、第１のシェル３におけるサイド面部８、８の下面と、第２のシェル４における外側壁部２８、２８の上面との間にそれぞれ前後に延びる挿入溝２ａ、２ａが形成される（図１参照）。挿入溝２ａ、２ａは、後端がそれぞれ第１のシェル３のスライダー支持部３ａ、３ａに連続され、前端がそれぞれ開閉パネル２３のパネル部２４に形成された挿入用切欠２４ｂ、２４ｂに連続される。
【００４０】
第１のシェル３と、第２のシェル４とは、ベース体５のベース面部７と、基面部２６とが上下で対向した状態で結合されている。
【００４１】
第１のシェル３と、第２のシェル４とが結合された状態においては、ロックレバー１３、１３およびロックスライダー１８、１８によって第１のシェル３と、第２のシェル４とがロックされている。
【００４２】
ロックレバー１３、１３は図示せぬ付勢バネの付勢力によって図示せぬロック部の先端部が互いに離隔する方向（外方）における回動端に位置される。図示せぬロック部は、それぞれ第２のシェル４の側面部２７、２７に形成された第１のロック用凹部２９ａ、２９ａに挿入されて係合されている。
【００４３】
ロックスライダー１８、１８は、図示せぬコイルバネの付勢力によって前方の移動端に位置され、ロック部２０、２０が、それぞれ第２のシェル４の側面部２７、２７に形成された第２のロック用凹部２９ｂ、２９ｂに挿入されて係合されている。
【００４４】
上述したように、第１のシェル３と、第２のシェル４とが結合されてロックされ光情報記録媒体１００、１００、・・・がケース体２の内部に保持された状態においては、光情報記録媒体１００、１００、・・・の外周面の一部に押さえバネ３０のバネ部がそれぞれ接して押さえられている。このとき保持溝２９ｃ、２９ｃ、・・・の一部に光情報記録媒体１００、１００、・・・の外周面における他の部分が押し付けられ光情報記録媒体１００、１００、・・・がケース体２の内部において正規の位置に位置決めされている。
【００４５】
第１のシェル３と、第２のシェル４とが結合された状態においては、光情報記録媒体１００、１００、・・は、中心孔１００ａ、１００ａ、・・・に、第１のシェル３に設けられたセンターピン１０が挿入される。
【００４６】
［２．記録再生装置の構成］
次に、記録再生装置４０の構成を説明する。図４は、ディスクカートリッジ１およびチェンジャーの一例としての記録再生装置４０の一例を示す。記録再生装置４０は外筐４１の内部に所要の各部が配置されて成る。
【００４７】
外筐４１は、図４に示すように、後方および下方に開口された外フレーム４２と、外フレーム４２の後端部に取り付けられた前後方向を向くパネル４３と、外フレーム４２の下端部に取り付けられた上下方向を向くベースフレーム４４とによって構成される。
【００４８】
パネル４３の上端部には、前後に貫通されたカートリッジ挿脱口が形成され、カートリッジ挿脱口が、シャッター４５によって開閉可能とされている。パネル４３の下端部にはイジェクト釦４６が配置されている。
【００４９】
外筐４１の内部には、カートリッジ収容部としてのディスクホルダー４７が配置されている。ディスクホルダー４７は、上ホルダーと、下ホルダーとで構成される。ディスクカートリッジ１が、記録再生装置４０に挿入された際には、第１のシェル３が上ホルダーに保持され、第２のシェル４が下ホルダーによって保持される。
【００５０】
外筐４１の内部には、前方側における下端部に、光情報記録媒体１００、１００、・・・に対する情報信号の記録、または再生を行う光学部（ピックアップ）としての記録再生部（ドライブ）１０１が配置されている。記録再生部１０１は、複数設けられていても良い。
【００５１】
ディスクカートリッジ１が、パネル４３のカートリッジ挿脱口から挿入されると、ディスクカートリッジ１が、ディスクホルダー４７に後方から挿入されていく。ディスクカートリッジ１が、パネル４３のカートリッジ挿脱口から挿入されるときには、シャッター４５が押圧されて回動される。
【００５２】
ディスクカートリッジ１が、ディスクホルダー４７に後方から挿入されていくと、ケース体２に形成された挿入溝２ａ、２ａに、それぞれ図示せぬ上ホルダーの解除片と、図示せぬ下ホルダーの保持片とが挿入される。
【００５３】
挿入溝２ａ、２ａに、それぞれ図示せぬ解除片が挿入されると、ディスクカートリッジ１が、ディスクホルダー４７の奥側まで移動されたときに、図示せぬ解除片によって、それぞれロックスライダー１８、１８の被支持部１９、１９が押圧される。図示せぬ解除片によって、それぞれ被支持部１９、１９が後方へ押圧されると、ロックスライダー１８、１８は、それぞれ図示せぬコイルバネの付勢力に抗して後方へ移動され、ロック部２０、２０が、それぞれ第２のシェル４の第２のロック用凹部２９ｂ、２９ｂから引き出される。ロック部２０、２０が、それぞれ第２のロック用凹部２９ｂ、２９ｂから引き出されると、ロックスライダー１８、１８による第１のシェル３と、第２のシェル４とのロックが解除される。
【００５４】
このとき、ディスクホルダー４７に設けられた図示せぬロック解除片がそれぞれ開閉パネル２３の挿入孔２４ａ、２４ａに挿入される。図示せぬロック解除片が、それぞれ挿入孔２４ａ、２４ａに挿入されると、図示せぬロック解除片によって、それぞれロックレバー１３、１３の図示せぬロック解除部が後方へ押圧される。図示せぬロック解除片によって、それぞれ図示せぬロック解除部が後方へ押圧されると、ロックレバー１３、１３は、それぞれ図示せぬ付勢バネの付勢力に抗して回動され、図示せぬロック部が、それぞれ第２のシェル４の第１のロック用凹部２９ａ、２９ａから引き出される。図示せぬロック部が、それぞれ第１のロック用凹部２９ａ、２９ａから引き出されると、ロックレバー１３、１３による第１のシェル３と第２のシェル４のロックが解除される。
【００５５】
ロックレバー１３、１３による第１のシェル３と第２のシェル４のロックの解除は、ロックスライダー１８、１８による第１のシェル３と第２のシェル４のロックの解除と同時に行われる。
【００５６】
ロックレバー１３、１３と、ロックスライダー１８、１８とによる第１のシェル３と第２のシェル４のロックが解除されると、第１のシェル３と、第２のシェル４とが上下方向に分離可能な状態となる。
【００５７】
第１のシェル３と、第２のシェル４とが分離可能な状態において、第１のシェル３は下方へ移動されず、第２のシェル４が、下ホルダーと一体になって下方へ移動されていく。したがって、第１のシェル３と、第２のシェル４とが分離される。
【００５８】
その後に、下ホルダーの停止位置に応じた高さに存在する光情報記録媒体１００の外周面が図示せぬ排出レバーによって前方へ押圧され、押圧された光情報記録媒体１００が第２のシェル４から記録再生部１０１側へ排出される。
【００５９】
そして、光情報記録媒体１００が記録再生部１０１に装填されて情報の記録、または再生が行われる。
【００６０】
［３．記録再生装置の内部構成］
図５は、記録再生装置４０の内部構成の一例を示す。記録再生装置４０には、複数の光情報記録媒体１００が収容されるとともにＲＦＩＤタグ３２が取り付けられたディスクカートリッジ１が装着されている。
【００６１】
記録再生装置４０は、読み取り部５０と、記録再生部１０１と、システムコントローラ１０８と、インタフェース１０９とを有する。記録再生装置４０は、インタフェース１０９を介して外部コンピュータ２００と接続されている。
【００６２】
読み取り部５０は、ＲＦＩＤタグ３２との間で、電磁界や電波等が用いられた近接無線通信によって識別情報をやり取りする機能を有する。読み取り部５０には、例えばリーダ／ライタが用いられる。リーダ／ライタは、電磁波をＲＦＩＤタグ３２に送る。ＲＦＩＤタグ３２は、電磁誘導によって得られる電力を用いて集積回路を駆動することでリーダ／ライタとの通信が行われる。このように、ＲＦＩＤタグ３２は、記録再生装置４０の要求に応じて、自身の保持する識別情報を送信する。なお、読み取り部５０と、ＲＦＩＤタグ３２との間における識別情報のやり取りに、上述した非接触による方法ではなく接触による方法が用いられても良い。
【００６３】
記録再生部１０１は、ディスクカートリッジ１から取り出された光情報記録媒体１００に対して情報の記録および再生を行う。
【００６４】
制御部としてのシステムコントローラ１０８は、読み取り部５０や記録再生部１０１等の記録再生装置４０の各部を制御する。システムコントローラ１０８は、図示せぬＣＰＵ（Central Processing Unit）、ＲＯＭ（Read Only Memory）およびＲＡＭ（Random Access Memory）等によって構成される。さらに、システムコントローラ１０８は、図示せぬ記録媒体交換部を制御する。記録媒体交換部は、ディスクカートリッジ１に収容される複数の中から所定の光情報記録媒体１００を取り出して記録再生部１０１が、情報の記録および再生を行えるようにする。
【００６５】
インタフェース１０９は、記録再生部１０１および外部コンピュータ２００と接続されている。記録再生部１０１によって光情報記録媒体１００から読み出された信号はインタフェース１０９を介して外部コンピュータ２００に出力される。一方で、記録再生部１０１によって光情報記録媒体１００に記録される信号はインタフェース１０９を介して外部コンピュータ２００から入力される。
【００６６】
インタフェース１０９が読み取り部５０と接続されていても良い。この場合には、接続される外部コンピュータ２００からの操作入力によって読み取り部５０の制御が行われる構成とすることができる。
【００６７】
ディスクカートリッジ１は、上述したように、光情報記録媒体１００が複数枚例えば１２枚収容可能である。以下では、ディスクカートリッジ１が、１２枚の光情報記録媒体１００を収容可能な構成を例示して識別情報について説明する。
【００６８】
ディスクカートリッジ１には、１２枚の光情報記録媒体１００としてＤｉｓｃ０からＤｉｓc−１１が収容されている。光情報記録媒体１００のそれぞれは、固有情報としての識別情報を有している。識別情報は、光情報記録媒体１００の例えばユーザがアクセス不可な内周部に予め記録されている。
【００６９】
表１に、光情報記録媒体情報の一例としてＤｉｓｃ−０の識別情報を示す。
【表１】
2014102863.tif 000003
【００７０】
再生専用領域のＡＲＥＡ−１には第１の識別情報である共通情報が記録されている。共通情報とは、複数の光情報記録媒体１００に共通する規格情報（スペック）である。規格情報としては、例えばメーカーコード、ディスクタイプ、ディスク容量、ディスク層数が挙げられる。この場合、ケース体２に収容される光情報記録媒体１００は、同一の規格の光情報記録媒体１００であることが前提となる。
【００７１】
メーカーコードは光情報記録媒体１００の製造メーカに固有のコードである。ディスクタイプは光情報記録媒体１００の規格やフォーマットである。ディスクタイプには、例えば記録専用型、追記型、書き換え型、より具体的には例えばＢＤ−Ｒ（Blu-ray Disc Recordable）  Ｖｅｒ．２．０やＢＤ−ＲＥ（Blu-ray Disc REwritable）  Ｖｅｒ．３．０がある。ディスク容量は光情報記録媒体１００の記録容量である。ディスク容量には、例えば１００ＧＢや１２８ＧＢがある。ディスク層数は光情報記録媒体１００の記録層の数である。ディスク層数には、例えば３層や４層がある。
【００７２】
再生専用領域のＡＲＥＡ−２には第２の識別情報が記録されている。第２の識別情報は、例えばディスクユニーク番号を有している。ディスクユニーク番号は光情報記録媒体１００のそれぞれに固有の番号である。
【００７３】
ＲＦＩＤタグ３２は、装置の固有情報である識別情報を有している。ＲＦＩＤタグ３２には、ディスクカートリッジ１に収容される１２枚の光情報記録媒体１００としてのＤｉｓｃ−０からＤｉｓc−１１に対応した識別情報が記録される。
【００７４】
表２に、ＲＦＩＤ情報の一例を示す。
【表２】
2014102863.tif 000004
【００７５】
第１の識別情報は読み出しがロックされており、第２の識別情報は読み出しおよび書き込みがロックされている。ロックおよびロック解除が行われる際には第１の鍵情報としてのロックおよびロック解除番号が必要となる。なお、第１の識別情報および第２の識別情報のロックは、領域へのアクセス自体をロックしても良く、個別の情報毎に鍵を掛ける形態としても良い。
【００７６】
読み出しのロックされた領域のＡＲＥＡ−１には第１の識別情報が記録されている。第１の識別情報は、例えばディスクカートリッジ１に収容される１２枚の光情報記録媒体１００の共通情報としてメーカーコード、ディスクタイプ、ディスク容量、ディスク層数を記憶している。
【００７７】
読み出しおよび書き込みのロックされた領域のＡＲＥＡ−２には第２の識別情報が記録されている。第２の識別情報は、例えば１２枚の光情報記録媒体１００のディスクユニーク番号、認証情報としての認証コードを有している。
【００７８】
ここでは、図６を参照して、ＲＦＩＤロックおよびロック解除番号の生成方法の一例について説明する。
【００７９】
ＲＦＩＤロックおよびロック解除番号の生成の際には、ＲＦＩＤタグ３２に記録されている固有情報としてのＲＦＩＤユニーク番号が用いられる。さらに、第２の鍵情報としての秘密鍵として例えば鍵Ａが用意される。鍵Ａは、例えばシステムコントローラ１０８の図示せぬＲＯＭに記録されている。
【００８０】
そして、読み取り部５０で読み込まれたＲＦＩＤユニーク番号と鍵Ａとが組み合わされて演算Ａが行われる。演算Ａの結果としてＲＦＩＤロックおよびロック解除番号が得られる。演算Ａは、システムコントローラ１０８において行われるのが好ましい。しかしながら、記録再生装置４０が取り付けられる外部コンピュータ２００において演算Ａが行われるように構成されても良い。
【００８１】
演算Ａにおいて、秘密鍵と、機器固有の値とを組み合わせて新たな鍵（ロックおよびロック解除番号）を生成する方法としては、例えば、ＨＫＤＦ（HMAC-based Extract-and-Expand Key Derivation Function）等が利用可能である。
【００８２】
上述したように、ＡＲＥＡ−２には、第２の識別情報の一つとして認証コードが記録される。
【００８３】
ここでは、図７を参照して、ディスクカートリッジ１の記録再生時に認証コードの照合が行われる際に用いられる認証コードの生成方法の一例について説明する。
【００８４】
認証コードの生成の際には、Ｄｉｓｃ−０からＤｉｓc−１１の１２枚の各々のディスクユニーク番号が用いられる。さらに、第３の鍵情報としての秘密鍵として例えば鍵Ｂが用意される。鍵Ｂは、例えばシステムコントローラ１０８の図示せぬＲＯＭに記録されている。
【００８５】
そして、ＡＲＥＡ−２に認証コードが既に記録されており、ディスクカートリッジ１の使用（記録再生）時に認証コードの照合が行われる際には、１２のディスクユニーク番号と鍵Ｂとが組み合わされて演算Ｂが行われる。演算Ｂの結果として認証コードが得られる。演算Ｂは、システムコントローラ１０８において行われるのが好ましい。しかしながら、記録再生装置４０が取り付けられる外部コンピュータ２００において演算Ｂが行われるように構成されても良い。なお、ＲＦＩＤタグ３２のＡＲＥＡ−２への認証コードの記録が行われる際には、Ｄｉｓｃ−０からＤｉｓc−１１の１２枚の各々のディスクユニーク番号が用いられる。
【００８６】
演算Ｂにおいて、秘密鍵を用いて認証コードを生成する方式としては、例えばＨＭＡＣ（The Keyed-Hash Message Authentication Code）等が利用可能である。
【００８７】
［４．記録再生部の構成］
図８は、記録再生装置４０の記録再生部１０１の構成の一例を示す。光情報記録媒体１００に対して情報が記録され、光情報記録媒体１００から情報が再生される。
【００８８】
記録再生部１０１は、スピンドルモータ１０２と、光学ヘッド１０３と、レーザ駆動部１０４と、信号検出部１０５と、サーボ回路１０６と、信号変復調器１０７と、システムコントローラ１０８と、インタフェース１０９とを有する。
【００８９】
スピンドルモータ１０２は光情報記録媒体１００を回転させる。光情報記録媒体１００がスピンドルモータ１０２によって例えば線速度一定で回転する。すなわち、ＣＬＶ（Constant Linear Velocity：線速度一定）方式で光情報記録媒体１００が回転する。回転制御方式としては、ゾーンＣＬＶ方式を使用しても良く、ＰＣＡＶ（パーシャル（Partial）Constant Angular Velocity：角速度一定）を使用しても良い。
【００９０】
光学ヘッド１０３は、図示せぬ送りモータによって、光情報記録媒体１００の径方向に移動する。そして、光学ヘッド１０３は、光情報記録媒体１００に対して情報の記録および再生を行う。
【００９１】
レーザ駆動部１０４は、光学ヘッド１０３のレーザ光源を制御する。光学ヘッド１０３に対して、レーザ駆動部１０４からの駆動信号が供給される。レーザ駆動部１０４は、記録モード時と再生モード時とでレーザ光源の出力パワーを異ならせる制御を行っている。
【００９２】
記録モード時には、記録情報１１０に応じて強度が変調されたレーザビームが光学ヘッド１０３から、光情報記録媒体１００に対して照射される。再生されたアドレス情報に基づいて決定された光情報記録媒体１００の所定の位置に情報が記録される。
【００９３】
一方で、再生モード時には、光情報記録媒体１００の記録面に対して、光学ヘッド１０３からの読み取りレーザビームが照射され、その反射光が、光学ヘッド１０３内のフォトディテクタによって検出される。光学ヘッド１０３は、光情報記録媒体１００の記録面からの反射光に対応する信号を信号検出部１０５に供給する。
【００９４】
信号検出部１０５は、光検出器である光学ヘッド１０３からの出力に基づいて、フォーカスエラー信号、トラッキングエラー信号等のサーボエラー信号１１１、および再生信号であるＲＦ信号１１２を生成する。ウォブル信号が生成されても良い。さらに、信号検出部１０５は、サーボエラー信号１１１をサーボ回路１０６に出力する。そして、信号検出部１０５は、ＲＦ信号１１２を信号変復調器１０７に出力する。
【００９５】
サーボ回路１０６は、システムコントローラ１０８からの指令に基づいてスピンドルモータ１０２および図示せぬ送りモータを駆動制御する。サーボ回路１０６には、信号検出部１０５からサーボエラー信号１１１が入力される。サーボ回路１０６は、フォーカスエラー信号やトラッキングエラー信号が０となるようなフォーカスサーボ信号やトラッキングサーボ信号を生成する。サーボ回路１０６は、これらのサーボ信号に基づいて、対物レンズを駆動する２軸アクチュエータ等の図示せぬ対物レンズ駆動部を駆動制御する。さらに、サーボ回路１０６は、信号検出部１０５からの出力に基づいて同期信号等を検出して、ＣＬＶ方式等でスピンドルモータ１０２を制御する。このようにして、サーボ回路１０６によって、スピンドルモータ１０２の回転が線速度一定に制御され、光学ヘッド１０３のフォーカスおよびトラッキングが制御される。
【００９６】
信号変復調器１０７は、光情報記録媒体１００に対して情報の記録を行う際には、インタフェース１０９から入力されたディジタル信号に対して記録処理を施す。例えば、信号変復調器１０７は、エラー訂正符号化を行い、１−７ＰＰ方式等の変調処理を行う。一方で、信号変復調器１０７は、光情報記録媒体１００に記録された情報の再生を行う際には光検出器で検出された信号に対して復調処理を行う。
【００９７】
システムコントローラ１０８は、記録再生部１０１の各部を制御する。システムコントローラ１０８は、ユーザからの操作入力に応じて、光情報記録媒体１００の最内周にあるプリマスタードピットやグルーブ等に記録されたアドレス情報やＴＯＣ（Table Of Contents）等に基づいて記録再生部１０１を制御する。
【００９８】
記録再生部１０１は、インタフェース１０９を介して外部コンピュータ２００と接続される。光情報記録媒体１００から読み出された信号はインタフェース１０９を介して外部コンピュータ２００に出力され、光情報記録媒体１００に記録される信号はインタフェース１０９を介して外部コンピュータ２００から入力される。
【００９９】
以上のように構成された記録再生部１０１は、スピンドルモータ１０２によって、光情報記録媒体１００を回転操作し、サーボ回路１０６からの制御信号に応じて図示せぬ送りモータを駆動制御する。記録再生部１０１は、光学ヘッド１０３を光情報記録媒体１００の所望の記録トラックに対応する位置に移動することで光情報記録媒体１００に対して情報の記録再生を行う。
【０１００】
記録再生部１０１が、光情報記録媒体１００に対して情報を記録する際には、外部コンピュータ２００からの信号が、インタフェース１０９を介して信号変復調器１０７に入力される。信号変復調器１０７は、インタフェース１０９から入力されたディジタル情報に対してエラー訂正符号化を行い、さらに変調処理を行った後に記録信号を生成する。レーザ駆動部１０４が、信号変復調器１０７で生成された記録信号に基づいて光学ヘッド１０３のレーザ光源を制御することによって光情報記録媒体１００に情報が記録される。
【０１０１】
光情報記録媒体１００に記録された情報を記録再生部１０１が再生する際には、光検出器で検出された信号に対して信号変復調器１０７が復調処理を行う。信号変復調器１０７によって復調された記録信号がインタフェース１０９を介して外部コンピュータ２００に出力される。これによって、外部コンピュータ２００は、光情報記録媒体１００に記録された情報を受け取ることができる。
【０１０２】
［５．識別装置の構成］
図９は、ディスクカートリッジ１に取り付けられる識別装置の一例としてのＲＦＩＤタグ３２の一構成例を示す。上述したように、ＲＦＩＤタグ３２は、記録再生装置４０の読み取り部５０との間で、電磁界や電波等が用いられた近接無線通信によってＲＦＩＤタグ３２の識別情報の読み取りや書き込みをする機能を有する。識別装置には、例えば非接触型ＩＣカードやＲＦＩＤが用いられる。ここでは、ＲＦＩＤタグ３２が取り付けられた一例について説明する。
【０１０３】
ＲＦＩＤタグ３２は、基材６１と、ＩＣチップ６２と、アンテナコイル６３とを備える。アンテナコイル６３の両端がＩＣチップ６２に対して接続されている。なお、基材６１の両面に外装材が設けられた構成とされても良い。
【０１０４】
基材６１の形状としては、フィルム状、シート状、基板状を用いることができる。しかしながら、特にこれらの材料に限定されるものではなく、ＲＦＩＤタグ３２に求められる特性に応じた材料を任意に選択し使用することが可能である。基材６１の材料としては、耐久性や利便性等の観点から、フレキシブル性を有する樹脂材料を用いることが好ましい。このような樹脂材料としては、例えばＰＥＮ（ポリエチレンナフタレート）、ＰＥＴ（ポリエチレンテレフタレート）、ポリイミド（ＰＩ）、ポリエステルを用いることができる。しかしながら、特にこれらの材料に限定されるものではなく、従来公知の樹脂材料からＲＦＩＤタグ３２に求められる特性に応じて任意に選択し使用することが可能である。
【０１０５】
アンテナコイル６３は、基材６１上に複数回巻回されて形成されたループコイル形状の電磁誘導コイルであり、その両端は、ＩＣチップ６２に接続されている。アンテナコイル６３は、読み取り部５０としてのリーダ／ライタから発せられる交流磁界を受信して交流電圧を誘起し、その交流電圧をＩＣチップ６２に供給する。アンテナコイル６３の形成方法としては、例えば巻き線工法、埋め込み巻き線工法、エッチング方式、メッキ方式、スクリーン印刷方式等を用いることができる。
【０１０６】
ＩＣチップ６２は、アンテナコイル６３から供給される電力によって駆動し、ＲＦＩＤタグ３２内の各部を制御する。例えば、ＩＣチップ６２は、アンテナコイル６３を介してリーダ／ライタと通信を行う。具体的には、リーダ／ライタとの相互認証や情報のやり取り等を行う。
【０１０７】
図１０は、識別装置の一例としてのＲＦＩＤタグ３２の回路の一構成例を示す。ＩＣチップ６２は、インタフェース７１と、ＲＡＭ７２と、ＲＯＭ７３と、ＣＰＵ７４と、ＥＥＰＲＯＭ（Electrically Erasable and Programmable ROM）７５とを備える。インタフェース７１と、ＲＡＭ７２と、ＲＯＭ７３と、ＣＰＵ７４と、ＥＥＰＲＯＭ７５とがバス７６に対して接続されている。
【０１０８】
ＲＡＭ７２は、ＣＰＵ７４のワークメモリとして用いられる。ＥＥＰＲＯＭ７５には、ＲＦＩＤタグ３２に入力された情報が記憶される。
【０１０９】
ＣＰＵ７４は、ＲＯＭ７３に予め記憶された動作プログラムに従って動作し、リーダ／ライタとの間で行われる通信動作の制御等を行う。ＣＰＵ７４は、ＲＯＭ７３に予め記憶された動作プログラムに従って動作する。
【０１１０】
ＲＦＩＤタグ３２と、読み取り部５０との間の通信方式としては、ＲＦＩＤや、非接触型ＩＣカード技術の無線インタフェース部分が標準化されたＮＦＣ（Near Field Communication）以外にも種々の方式を使用することができる。例えばBluetooth（登録商標）を使用することができる。例えばＵＷＢ（Ultra Wide Band）を使用しても良い。さらに、例えばZigBeeを使用しても良い。そして、これらの近距離無線技術の複数の方式に対応するようにしても良い。
【０１１１】
「６．識別情報の記憶方法（動作）」
以下、図１１および表２を参照して、光情報記録媒体１００が収容されるディスクカートリッジ１の識別装置に対する識別情報の記憶方法の一例について説明する。ここでは、識別装置の一例としてＲＦＩＤタグ３２が用いられた一例について説明する。例えば１２枚の光情報記録媒体１００と、第１のシェル３と、第２のシェル４とが組み合わされて作製されたディスクカートリッジ１に貼り付けられたＲＦＩＤタグ３２に対し、ディスクカートリッジ１、およびその内部に収容される光情報記録媒体１００の情報が記録される。なお、以下の動作は、システムコントローラ１０８の命令によって動作が行われる。さらに、外部コンピュータ２００からの命令によって動作が行われるようになされても良い。
【０１１２】
まず、ステップＳ１において、ＲＦＩＤタグ３２のＲＦＩＤユニーク番号が読み取られる。ＲＦＩＤタグ３２には、それぞれに固有の番号であるＲＦＩＤユニーク番号が予め記録されている。まず、例えば読み取り部５０が、電磁波をＲＦＩＤタグ３２に向けて送信する。ＲＦＩＤタグ３２は、電磁波をアンテナで受け、電磁誘導によって発生する電力で集積回路を駆動する。そして、ＲＦＩＤタグ３２から、ＲＦＩＤユニーク番号が読み取り部５０に送信される。この後のＲＦＩＤタグ３２に対する情報の読み取りや書き込みは読み取り部５０によって行われる。
【０１１３】
次に、ステップＳ２において、ＲＦＩＤロックおよびロック解除番号が生成される。ＲＦＩＤロックおよびロック解除番号の生成は図６に示した方法で行われる。
【０１１４】
次に、ステップＳ３において、Ｄｉｓｃ−０から１１の１２枚の光情報記録媒体１００の各々についてディスクユニーク番号が読み込まれる。記録再生装置４０の記録再生部（ドライブ）１０１に、ディスクカートリッジ１の光情報記録媒体１００がＤｉｓｃ−０から１１まで順次ローディングされ、１２枚の光情報記録媒体１００の各々についてディスクユニーク番号が読み込まれる。
【０１１５】
次に、ステップＳ４において、認証コードが生成される。認証コードの生成は図７に示した方法で行われる。
【０１１６】
次に、ステップＳ５において、ＲＦＩＤタグ３２のＡＲＥＡ−１にディスク共通情報が書き込まれる。ディスク共通情報としては、表２に示したように、例えばメーカーコード、ディスクタイプ、ディスク容量、ディスク層数がある。
【０１１７】
次に、ステップＳ６において、ＡＲＥＡ−１の読み出しがロックされる。ＡＲＥＡ−１の領域に記録されている情報の読み出しのロックには、ステップＳ２において生成されたロックおよびロック解除番号が用いられる。
【０１１８】
次に、ステップＳ７において、ＲＦＩＤタグ３２のＡＲＥＡ−２にディスクユニーク番号、および認証コードが書き込まれる。ディスクユニーク番号は、１２枚のディスクの各々について書き込まれる。
【０１１９】
次に、ステップＳ８において、ＡＲＥＡ−２の読み出しおよび書き込みがロックされる。ＡＲＥＡ−２の領域に記録されている情報の読み出しのロックにも、ステップＳ２において生成されたロックおよびロック解除番号が用いられる。
【０１２０】
以上の方法によって、ディスクカートリッジ１に取り付けられたＲＦＩＤタグ３２、およびディスクカートリッジ１に収容される１２枚の光情報記録媒体１００の各々のユニーク番号が記録され、その記録された情報がロックされたＲＦＩＤタグ３２を作製することができる。
【０１２１】
「７．記録再生装置の動作方法」
以下、図１２を参照して、ディスクカートリッジ１の記録再生装置４０の動作の一例について説明する。なお、以下の動作は、システムコントローラ１０８の命令によって動作が行われる。さらに、外部コンピュータ２００からの命令によって動作が行われるようになされても良い。
【０１２２】
まず、ステップＳ１１において、ディスクカートリッジ１がローディングされる。記録再生装置４０のパネル４３のカートリッジ挿脱口からディスクカートリッジ１が挿入され、ＲＦＩＤタグ３２が、読み取り部５０付近に位置するようになされる。
【０１２３】
次に、ステップＳ１２において、ＲＦＩＤタグ３２に予め記録されているそれぞれに固有の番号であるＲＦＩＤユニーク番号が読み込まれる。より具体的には、まず、読み取り部５０が、電磁波をＲＦＩＤタグ３２に向けて送信する。ＲＦＩＤタグ３２は、電磁波をアンテナで受け、電磁誘導によって発生する電力で集積回路を駆動する。そして、ＲＦＩＤタグ３２から、ＲＦＩＤユニーク番号が読み取り部５０に送信される。
【０１２４】
次に、ステップＳ１３において、ロックおよびロック解除番号が生成される。ロックおよびロック解除番号の生成は図６に示した方法で行われる。
【０１２５】
次に、ステップＳ１４において、ＲＦＩＤのロックが解除される。演算Ａによって生成されたロックおよびロック解除番号が読み取り部５０からＲＦＩＤタグ３２へと送られる。そして、読み出しがロックされているＲＦＩＤタグ３２のＡＲＥＡ−１の領域と、読み出しおよび書き込みがロックされているＲＦＩＤタグ３２のＡＲＥＡ−２の領域とのロックが解除される。これによって、読み取り部５０は、ＡＲＥＡ−１およびＡＲＥＡ−２の読み出し、並びにＡＲＥＡ−２の書き込みを行うことが可能となる。
【０１２６】
次に、ステップＳ１５において、認証コードが生成される。読み出しが可能となったＡＲＥＡ−２には、ディスクカートリッジ１に収容される１２枚の各々のディスクユニーク番号が記録されている。読み取り部５０は、それらのディスクユニーク番号を読み込む。そして、認証コードの生成は図７に示した方法で行われる。
【０１２７】
次に、ステップＳ１６において、認証コードが一致するか否かが判定される。ＡＲＥＡ−２には、認証コードが予め記録されている。まず、読み取り部５０は、その認証コードを読み込む。そして、システムコントローラ１０８は、読み込まれた認証コードと、演算Ｂによって得られた認証コードとを比較する。そして、システムコントローラ１０８は、２つの認証コードが一致しなかった場合には不正認証コードが検出されたものと判定する。不正認証コードが検出された場合には、処理はステップＳ１７に移行する。一方で、不正認証コードが検出されなかった場合には、処理はステップＳ１８に移行する。
【０１２８】
不正認証コードが検出された場合には、ステップＳ１７において、ＲＦＩＤが不正に交換されたとして不正ＲＦＩＤの検出されたディスクカートリッジ１が排出される。これによって、ＲＦＩＤタグ３２の不正な交換が防止される。一方で、不正認証コードが検出されなかった場合には、ステップＳ１８において、複数の光情報記録媒体１００のうちの１枚（例えばＤｉｓc−０）が記録再生部（ドライブ）１０１にローディングされる。
【０１２９】
次に、ステップＳ１９において、光情報記録媒体１００に予め記録されているそれぞれに固有の番号であるディスクユニーク番号が読み込まれる。記録再生部１０１は、例えば１枚目のＤｉｓｃ−０のディスクユニーク番号を読み込む。
【０１３０】
次に、ステップＳ２０において、ディスクユニーク番号が照合され、一致するか否かが判定される。システムコントローラ１０８は、記録再生部１０１で読み込まれたＤｉｓｃ−０のユニーク番号と、ステップＳ１５で読み込まれたＡＲＥＡ−２のＤｉｓｃ−０のユニーク番号とを比較する。そして、システムコントローラ１０８は、２つのディスクユニーク番号が一致しなかった場合には不正が検出されたものと判定する。ディスクユニーク番号が一致しない場合には、処理はステップＳ２１に移行する。一方で、ディスクユニーク番号が一致する場合、すなわち照合によって正当と判別される場合には、処理はステップＳ２２に移行する。
【０１３１】
ディスクユニーク番号が一致しなかった場合には、ステップＳ２１において、光情報記録媒体１００（Ｄｉｓｃ−０）が不正に交換されたとして、不正ディスクの検出されたディスクカートリッジ１が排出される。これによって、光情報記録媒体１００の不正な交換が防止される。
【０１３２】
一方で、ディスクユニーク番号が一致した場合には、ステップＳ２２において、ディスク共通情報が照合され、一致するか否かが判定される。ＡＲＥＡ−１には、１２枚の光情報記録媒体１００に共通であるディスク共通情報が記録されている。まず、読み取り部５０は、ディスク共通情報を読み込む。次に、記録再生部１０１は、例えば１枚目のＤｉｓｃ−０において、ディスク共通情報を読み込む。システムコントローラ１０８は、記録再生部１０１で読み込まれたディスク共通情報と、ＡＲＥＡ−１のディスク共通情報とを比較する。そして、システムコントローラ１０８は、２つのディスク共通情報が一致しなかった場合には不正が検出されたものと判定する。ディスク共通情報が一致しない場合には、処理はステップＳ２１に移行する。一方で、ディスク共通情報が一致する場合には、処理はステップＳ２３に移行する。
【０１３３】
なお、ＡＲＥＡ−１に記録されているディスク共通情報の読み込みはステップＳ１５の段階で行われていても良い。そして、光情報記録媒体１００からのディスク共通情報の読み込みは、ステップＳ１９の段階で行われていても良い。
【０１３４】
ディスク共通情報が一致しなかった場合には、ステップＳ２１において、光情報記録媒体１００（Ｄｉｓｃ−０）が不正に交換されたとして、不正ディスクの検出されたカートリッジが排出される。ここでも、これによって、光情報記録媒体１００の不正な交換が防止される。
【０１３５】
一方で、ディスク共通情報が一致した場合には、ステップＳ２３において、光情報記録媒体１００（Ｄｉｓｃ−０）に対する情報の記録、または再生が行われる。
【０１３６】
光情報記録媒体１００（Ｄｉｓｃ−０）に対する情報の記録、または再生が終わると、ステップＳ２４において、光情報記録媒体１００（Ｄｉｓｃ−０）がディスクカートリッジ１に戻される。
【０１３７】
次に、ステップＳ２５において、ディスクカートリッジ１に対する情報の記録、または再生が終了したか否かが判定される。ディスクカートリッジ１に対する情報の記録、または再生が終了した場合には、処理はステップＳ２６に移行する。一方で、ディスクカートリッジ１に対する情報の記録、または再生が終了していない場合には、処理はステップＳ２７に移行する。
【０１３８】
ディスクカートリッジ１に対する情報の記録、または再生が終了した場合には、ステップＳ２６において、ディスクカートリッジ１が排出される。
【０１３９】
一方で、ディスクカートリッジ１に対する情報の記録、または再生が続行する場合には、ステップＳ２７において、次の光情報記録媒体１００（例えばＤｉｓｃ−１）が記録再生部（ドライブ）１０１にローディングされて、処理はステップＳ１９に戻る。
【０１４０】
なお、光情報記録媒体１００のディスクユニーク番号やディスク共通情報の記録されている領域が損傷することも起こり得る。そのようなステップＳ１９やステップＳ２２において読み込みができない場合には、当該の光情報記録媒体１００（例えばＤｉｓｃ−０）の使用が中止され、次の光情報記録媒体１００（Ｄｉｓｃ−１）に交換されるように構成されても良い。
【０１４１】
さらに、同様の場合において、ディスクカートリッジ１に収納される全ての光情報記録媒体１００の使用が中止されるように構成されても良い。
【０１４２】
以上の方法によって、不正なＲＦＩＤタグ３２や不正な光情報記録媒体１００が装備されたディスクカートリッジ１を検出し、正規性を有するディスクカートリッジ１に対する情報の記録、または再生を行うことができる。
【０１４３】
［８．記録再生装置が取り付けられる外部コンピュータの構成］
図１３は、上述した記録再生装置４０が取り付けられる外部コンピュータ２００の構成の一例を示す。外部コンピュータ２００は、例えば一般的なパーソナルコンピュータやコンピュータ装置に準じた構成の装置である。
【０１４４】
外部コンピュータ２００において、バス２０１に対して、ＣＰＵ２０２と、ＲＯＭ２０３と、ＲＡＭ２０４とが接続される。ＲＯＭ２０３には、例えば外部コンピュータ２００を起動させるための初期プログラムが予め記憶される。ＲＡＭ２０４は、ＣＰＵ２０２のワークメモリとして用いられる。
【０１４５】
バス２０１に対して、さらに、表示部２０５と、入出力インタフェース（入出力Ｉ／Ｆ）２０６と、ハードディスクドライブ２０８と、通信インタフェース（通信Ｉ／Ｆ）２０９とが接続される。表示部２０５は、外部コンピュータ２００に内蔵、または外部コンピュータ２００に接続して用いられ、ＣＰＵ２０２で生成された表示制御信号に応じた表示を行う。入出力Ｉ／Ｆ２０６には、キーボードやマウス、所定の操作子が配置された操作パネルといったユーザからの入力を受け付けるための入力部２０７が接続されている。
【０１４６】
そして、入出力Ｉ／Ｆ２０６には、光情報記録媒体１００の記録および再生が可能なドライブ装置としての記録再生装置４０が接続される。
【０１４７】
ハードディスクドライブ２０８には、この外部コンピュータ２００の動作を制御し、上述の各方法を実行するためのプログラムが格納される。ＣＰＵ２０２は、例えば外部コンピュータ２００の起動時に、ＲＯＭ２０３から読み出された初期プログラムに従いハードディスクドライブ２０８に記録されたプログラムを読み出し、ＲＡＭ２０４上に展開して外部コンピュータ２００の動作を制御する。
【０１４８】
通信Ｉ／Ｆ２０９は、例えばＬＡＮ（Local Area Network）等のネットワークを介して他のコンピュータ等に接続されている。他のコンピュータ等から、通信Ｉ／Ｆ２０９を介して、記録再生装置４０による光情報記録媒体１００の記録および再生が行われるようにしても良い。
【０１４９】
＜変形例＞
第２のシェル４には、ディスクカートリッジ１毎にユニークな番号が記載されている。変形例においては、ディスクユニーク番号およびディスク共通情報の代わりに第２のシェル４のユニークな番号が用いられる。第２のシェル４のユニークな番号を読み込むための図示せぬ読み取り部が用意される。
【０１５０】
その場合には、「６．識別情報の記憶方法」のステップＳ３において、１２枚のディスクユニーク番号の読み込みの代わりに第２のシェル４のユニークな番号の読み込みが行われる。さらに、ステップＳ７において、ＡＲＥＡ−２に、ディスクユニーク番号の代わりに、認証コードとともに第２のシェル４のユニークな番号の書き込みが行われる。これによって、第２のシェル４に記載されているディスクカートリッジ１毎のユニークな番号がＲＦＩＤに登録される構成となる。
【０１５１】
そして、「７．記録再生装置の動作方法」のステップＳ１９、ステップＳ２０およびステップＳ２１において、ディスクユニーク番号の読み込みの代わりに第２のシェル４のユニークな番号の読み込みが行われるようにすれば良い。
【０１５２】
すなわち、ステップＳ１９において、第２のシェル４のユニークな番号が読み込まれる。
【０１５３】
次に、ステップＳ２０において、第２のシェル４のユニークな番号が照合され、一致するか否かが判定される。システムコントローラ１０８は、図示せぬ読み取り部で読み込まれた第２のシェル４のユニークな番号と、ステップＳ１５で読み込まれたＡＲＥＡ−２の第２のシェル４のユニークな番号とを比較する。そして、システムコントローラ１０８は、２つの第２のシェル４のユニークな番号が一致しなかった場合には不正が検出されたものと判定する。第２のシェル４のユニークな番号が一致しない場合には、処理はステップＳ２１に移行する。一方で、ディスクユニーク番号が一致する場合には、処理はステップＳ２３に移行する。
【０１５４】
第２のシェル４のユニークな番号が一致しなかった場合には、ステップＳ２１において、第２のシェル４が不正に交換されたとして、不正シェルの検出されたディスクカートリッジ１が排出される。
【０１５５】
一方で、第２のシェル４のユニークな番号が一致した場合には、ステップＳ２３において、光情報記録媒体１００（例えばＤｉｓｃ−０）に対する情報の記録、または再生が行われる。
【０１５６】
以上のようにすることで、第１のシェル３と、第２のシェル４との組み合わせの正規性を判断することができる。
【０１５７】
なお、第２のシェル４に記載されているユニークな番号も認証コードに用いられる形態とされても良い。その場合には、「６．識別情報の記憶方法」のステップＳ３において、１２枚のディスクユニーク番号の読み込みとともに第２のシェル４のユニークな番号の読み込みが行われる。次に、ステップＳ４において、認証コードの生成が行われる。さらに、ステップＳ７において、ＡＲＥＡ−２に、ディスクユニーク番号、認証コードとともに第２のシェル４のユニークな番号の書き込みが行われる。そして、「７．記録再生装置の動作方法」のステップＳ１５において、認証コードの生成の際に、第２のシェル４のユニークな番号も用いられるようにすれば良い。
【０１５８】
本開示では、一方のシェルに媒体が収容されている構成である。このため、上述した変形例においては、第１のシェル（例えば上シェル）と、第２のシェル（例えば下シェル）との組み合わせの正当性を確認することができる。したがって、第１のシェル、または第２のシェルの入れ替えを検出することができる。これによって、間接的にシェルと媒体との組み合わせを検出できる。
【０１５９】
「実施の形態の効果」
本開示の実施の形態では、上シェルに、ＲＦＩＤが取り付けられ、下シェルに収容されているディスクのユニーク番号がＲＦＩＤに登録された構成となっている。本開示では、この構成によって、ディスクカートリッジとディスクとの組み合わせ、およびディスクカートリッジの上下シェルの組み合わせを知ることが可能となる効果を奏する。同様に、本開示では、下シェルに記載されているディスクカートリッジ毎のユニークな番号をＲＦＩＤに登録する構成によって、ディスクカートリッジの上下シェルの組み合わせを知ることが可能となる効果を奏する。したがって、本開示によれば、光情報記録媒体、またはそれを収容するカートリッジの正規性を確認することができるカートリッジおよびチェンジャーを提供することができる。
【０１６０】
なお、本開示は、以下の構成も取ることができる。
（１）
固有情報が記録された複数の光情報記録媒体と、
上記複数の光情報記録媒体を収容する収容体と、
上記複数の光情報記録媒体の固有情報を記憶し、該固有情報を非接触でチェンジャーに供給する、上記収容体に設けられた識別装置と
を備えるカートリッジ。
（２）
上記固有情報は、媒体毎のユニーク番号を含んでいる
（１）に記載のカートリッジ。
（３）
上記識別装置は、上記複数の光情報記録媒体に共通する共通情報をさらに記憶している
（１）乃至（２)の何れかに記載のカートリッジ。
（４）
上記識別装置は、識別装置の固有情報をさらに記憶している
（１）乃至（３)の何れかに記載のカートリッジ。
（５）
上記識別装置に記憶された固有情報は、上記識別装置の固有情報を用いて生成される第１の鍵情報によりロックされている
（１）乃至（４)の何れかに記載のカートリッジ。
（６）
上記第１の鍵情報は、上記識別装置の固有情報と、上記チェンジャーに付与された第２の鍵情報とにより生成される
（５）に記載のカートリッジ。
（７）
上記識別装置は、識別装置の認証情報をさらに記憶している
（１）乃至（６)の何れかに記載のカートリッジ。
（８）
上記認証情報は、上記複数の光情報記録媒体の固有情報を用いて生成された情報である
（７）に記載のカートリッジ。
（９）
上記認証情報は、上記複数の光情報記録媒体の固有情報と、上記チェンジャーに付与された第３の鍵情報とにより生成される
（８）に記載のカートリッジ。
（１０）
上記収容体は、第１のシェルと第２のシェルとを備え、
上記第１のシェルおよび上記第２のシェルのうちの一方に上記複数の光情報記録媒体が収容され、他方に上記識別装置が設けられている
（１）乃至（９)の何れかに記載のカートリッジ。
（１１）
固有情報が記録された複数の光情報記録媒体と、上記複数の光情報記録媒体を収容する収容体と、上記複数の光情報記録媒体の固有情報を記憶し、該固有情報を非接触でチェンジャーに供給する、上記収容体に設けられた識別装置とを備えるカートリッジを収容するカートリッジ収容部と、
上記光情報記録媒体の記録または再生を行う光学部と、
上記カートリッジの識別装置の情報を非接触で読み取る読み取り部と、
上記光情報記録媒体から読み出された固有情報と、上記識別装置から読み出された固有情報とを照合する制御部と
を備えるチェンジャー。
（１２）
上記光学部は、上記照合により正当と判別された光情報記録媒体に対するデータの記録または再生を行い、該光情報記録媒体の記録または再生が完了した後に、該光情報記録媒体とは別の光情報記録媒体の固有情報の照合を行う
（１１）に記載のチェンジャー。
（１３）
上記識別装置に記憶される固有情報は、第１の鍵情報によりロックされており、
上記制御部は、上記識別装置の固有情報を用いて上記第１の鍵情報を生成し、該第１の鍵情報を用いて上記識別装置に記憶される固有情報のロックを解除する
（１１）乃至（１２)の何れかに記載のチェンジャー。
（１４）
上記第１の鍵情報は、上記識別装置の固有情報と、上記チェンジャーに付与された第２の鍵情報とにより生成される
（１３）に記載のチェンジャー。
（１５）
上記識別装置は、認証情報をさらに記憶し、
上記制御部は、上記識別装置から読み出された複数の光情報記録媒体の固有情報を用いて認証情報を生成し、生成した該認証情報と、上記識別装置から読み出された認証情報とを照合する
（１３）乃至（１４)の何れかに記載のチェンジャー。
（１６）
上記複数の光情報記録媒体には、全ての媒体に共通する共通情報がさらに記憶され、
上記識別装置は、上記複数の光情報記録媒体に共通する共通情報をさらに記憶し、
上記制御部は、
上記光情報記録媒体から読み出された共通情報と、上記識別装置から読み出された共通情報とを照合する
（１３）乃至（１５)の何れかに記載のチェンジャー。
【０１６１】
以上、本開示の実施の形態について具体的に説明したが、本開示は、上述の実施の形態に限定されるものではなく、本開示の技術的思想に基づく各種の変形が可能である。例えば、上述の実施の形態において挙げた構成、方法、工程、形状、材料および数値等はあくまでも例に過ぎず、必要に応じてこれと異なる構成、方法、工程、形状、材料および数値等を用いても良い。
【０１６２】
さらに、上述の実施の形態の構成、方法、工程、形状、材料および数値等は、本開示の主旨を逸脱しない限り、互いに組み合わせることが可能である。例えば、上述した一実施の形態の記録再生装置の動作方法と変形例とを組み合わせた管理方法としても良い。
【符号の説明】
【０１６３】
１    ディスクカートリッジ
２    ケース体
２ａ    挿入溝
３    第１のシェル
４    第２のシェル
１３    ロックレバー
１８    ロックスライダー
２３    開閉パネル
２４ａ    挿入孔
３２    ＲＦＩＤタグ
４０    記録再生装置
４7    ディスクホルダー
５０    読み取り部
１００    光情報記録媒体
１０１    記録再生部
１０８    システムコントローラ
１０９    インタフェース
２００    外部コンピュータ
【図１】
2014102863.tif 000005
【図２】
2014102863.tif 000006
【図３】
2014102863.tif 000007
【図４】
2014102863.tif 000008
【図５】
2014102863.tif 000009
【図６】
2014102863.tif 000010
【図７】
2014102863.tif 000011
【図８】
2014102863.tif 000012
【図９】
2014102863.tif 000013
【図１０】
2014102863.tif 000014
【図１１】
2014102863.tif 000015
【図１２】
2014102863.tif 000016
【図１３】
2014102863.tif 000017